(57)【要約】【課題】  従来のこのような超音波診断装置では、特にバッテリーを使用した場合は、待機時間に発振器及び受信機を動作して表示装置に表示するようにしているため、バッテリーの使用時間が短いという問題があった。【解決手段】  ＣＰＵからなる制御装置１に発振機能１ａ、受信機能１ｂが接続された切り替え回路１ｃが接続され、又、受信機能１ｂにＡ／Ｄ変換機能１ｄが接続され、さらに、切り替え機能１ｃに複数の超音波振動子２が接続され、さらに、複数の超音波振動子２のいずれか１つの着目した超音波振動子の送受信を監視するタイマ機能を設けた監視機能１ｅが設けられ、又、Ａ／Ｄ変換機能１ｄに画像処理回路３が接続され、画像処理回路３に表示装置４が接続されている。【選択図】図１
2005296223.tif 000002
【特許請求の範囲】
【請求項１】
被検体に接触させて超音波を送受信する複数の超音波振動子と、該複数の超音波振動子に順次発振信号を送信する切り替え機能を介して接続された発振機能、前記切り替え機能に接続された受信機能、該受信機能からの受信出力をデジタル信号に変換するＡ／Ｄ変換機能を設けたＣＰＵからなる制御装置と、該制御装置の前記Ａ／Ｄ変換機能の出力を画像処理する画像処理回路と、該画像処理回路の出力を表示する表示装置とからなる超音波診断装置において、前記制御装置に前記複数の超音波振動子のいずれか１つに着目して、受信信号を監視する監視機能が設けられ、通常モードでは、前記制御装置の前記監視機能で前記受信機能を監視して、前記着目した受信信号に一定時間以上変化がないかどうかを監視し、前記着目した受信信号に変化がなければ、待機モードに移行して、前記監視機能から前記画像処理回路及び表示装置の電源をオフにし、前記監視機能から前記着目した１つの超音波振動子に数秒間隔で前記発振機能及び前記受信機能より送受信して、前記着目した超音波振動子からの受信信号に変化があるかどうかを監視し、変化がある場合、前記画像処理回路及び前記表示装置に電力を供給し、前記通常モードに移行することを特徴とする超音波医療診断装置。
【発明の詳細な説明】
【技術分野】
【０００１】
本発明は、待機時に電力を消費しないようにしたバッテリーを内蔵する超音波診断装置に関するものである。
【背景技術】
【０００２】
従来、被検体に複数の超音波振動子を接触し、この複数の超音波振動子に切り替え回路によって発振器から順次発振信号を送信し、又、複数の超音波振動子で被検体からのエコーを検出するために、切り替え回路に受信機が接続され、受信機からの受信出力をＡ／Ｄ変換器でデジタル信号に変換し、このＡ／Ｄ変換器の出力を画像処理回路で画像処理して、この画像処理回路の出力を表示装置で表示するようにした超音波診断装置が提案されている。
【０００３】
しかしながら、従来のこのような超音波診断装置では、特にバッテリーを使用した場合は、待機時間に発振器及び受信機を動作して表示装置に表示するようにしているため、バッテリーの使用時間が短いという問題があった。
【特許文献１】特願
【発明の開示】
【発明が解決しようとする課題】
【０００４】
解決しようとする問題点は、待機時間にも装置を動作しているために、バッテリーの使用時間が短いという点である。
【課題を解決するための手段】
【０００５】
本発明では、制御装置に複数の超音波振動子のいずれか１つに着目して、受信信号を監視する監視機能が設けられ、通常モードでは、制御装置の監視機能で受信機能を監視して、着目した受信信号に一定時間以上変化がないかどうかを監視し、着目した受信信号に変化がなければ、待機モードに移行して、監視機能から画像処理回路及び表示装置の電源をオフにし、監視機能から着目した１つの超音波振動子に数秒間隔で発振機能及び受信機能より送受信して、着目した超音波振動子からの受信信号に変化があるかどうかを監視し、変化がある場合、画像処理回路及び表示装置に電力を供給し、通常モードに移行する
【発明の効果】
【０００６】
本発明の超音波診断装置では、待機モードにおいて、画像処理回路及び表示装置への電力供給をオフにすることにより待機モードの消費電力を少なくして、バッテリーの使用時間を長くすることができるという利点がある。
【実施例】
【０００７】
図１は本発明の実施例の超音波診断装置のブロック図で、ＣＰＵからなる制御装置１に発振機能１ａ、受信機能１ｂが接続された切り替え回路１ｃが接続され、又、受信機能１ｂにＡ／Ｄ変換機能１ｄが接続され、さらに、切り替え機能１ｃに複数の超音波振動子２が接続され、さらに、複数の超音波振動子２のいずれか１つの着目した超音波振動子の送受信を監視するタイマ機能を設けた監視機能１ｅが設けられ、又、Ａ／Ｄ変換機能１ｄに画像処理回路３が接続され、画像処理回路３に表示装置４が接続されている。
【０００８】
このように構成された本実施例では、まず、複数の超音波振動子２が被検体に接触され、制御装置１の発振機能１ａから順次発振信号が出力されると、切り替え機能１ｃによって複数の超音波振動子２に順次発振出力を印加することにより、発振出力が印加された超音波振動子から順次超音波が出力され、この超音波の反射波が順次超音波振動子に入力されるので、発振機能１ｂで受信して増幅され、Ａ／Ｄ変換機能１ｄでアナログ信号がデジタル信号に変換されて、画像処理から３に入力されて画像信号に変換され、表示装置４で表示されるような通常モードが継続される。
【０００９】
ここで、超音波振動子２が被検体から離された場合、このまま画像処理回路３及び表示装置４で電力を消費したすると、バッテリの消費が大きく、長時間使用できないので、本実施例では、制御装置１に複数の超音波振動子２のいずれか１つを着目した超音波振動子の送受信を監視する監視機能１ｅが設けられ、この監視機能１ｅは、通常モードでは、タイマ機能１ｆによって、着目したいずれか１つの超音波振動子の受信機能で受信された受信信号に一定時間以上変化がないかどうか監視し、タイマ機能１ｆで予め決められた時間以上に受信信号に変化がないので、監視機能１ｅは、装置が待機モードであることを検知して、画像処理回路３及び表示装置４への電力を遮断するとともに、複数の超音波振動子２のいずれか１つを着目した超音波振動子の送受信を監視し、受信信号に変化があれば、通常モードに入ったことを検知して、画像処理回路３及び表示装置４に電力を供給する。
【００１０】
本実施例では、このように、通常モードと待機モードを複数の超音波振動子２のいずれか１つの超音波振動子に着目して、その超音波振動子の送受信を監視することにより、通常モード時には、その超音波振動子の受信信号に変化がないかどうかを監視して、変化が検知されなければ、待機モードの動作状態する移行することにより、画像処理回路３及び表示装置４への電力を遮断して、電力を省力化することができ、着目した１つの超音波振動子の受信信号に変化があれば、通常モードに移行して、通常の超音波診断装置の動作をすることができる。
【産業上の利用可能性】
【００１１】
上記実施例では、バッテリを使用した例を説明したが、商用電源を使用した場合でも、電力を省力化することができる。
【図面の簡単な説明】
【００１２】
【図１】本発明の実施例の超音波診断装置のブロック図である。
【符号の説明】
【００１３】
１                制御装置
１ａ              発振機能
１ｂ              受信機能
１ｃ              切り替え機能
１ｄ              Ａ／Ｄ変換機能
１ｅ              監視機能
１ｆ              タイマ機能
３                画像処理回路
４                表示装置
【図１】
2005296223.tif 000003